【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】
密閉もしくは略密閉空間と、非密閉空間とを有するユニットと、前記ユニット内に設けられたランプと、前記密閉もしくは略密閉空間へ空気を流入する空気流入手段とを有し、前記密閉もしくは略密閉空間と前記非密閉空間との圧力差による空気流により前記ランプを冷却する光源装置であって、
前記空気流入手段がシロッコファンであることを特徴とする光源装置。
【請求項２】
請求項１に記載の光源装置であって、
前記非密閉空間に空気を流入する吸気ファンを設けたことを特徴とする光源装置。
【請求項３】
請求項１に記載の光源装置であって、
前記非密閉空間に空気を排気する排気ファンを設けたことを特徴とする光源装置。
【請求項４】
請求項１乃至３のいずれか１項に記載の光源装置であって、
前記ランプ近傍に設けられた温度検出手段と、
前記温度検出手段の出力に基づき、前記ファンを制御して、前記密閉もしくは略密閉空間、又は前記非密閉空間の空気圧を変更する制御手段とを備えたことを特徴とする光源装置。
【請求項５】
請求項１乃至３のいずれか１項に記載の光源装置であって、
前記密閉もしくは略密閉空間及び前記非密閉空間の各々に設けられた圧力センサと、
前記圧力センサの出力に基づき、前記ファンを制御して、前記密閉もしくは略密閉空間、又は前記非密閉空間の空気圧を変更する制御手段とを備えたことを特徴とする光源装置。
【請求項６】
請求項４又は請求項５に記載の光源装置であって、
前記制御手段は、前記ランプへの点灯指示又は消灯指示から所定時間の間、前記ファンを制御することを特徴とする光源装置。
【請求項７】
請求項１に記載の光源装置であって、
前記非密閉空間に排気口を設け、その排気口は、外部からの光が入射しない形状とすることを特徴とする光源装置。
【請求項８】
請求項１に記載の光源装置であって、
前記ユニットを挿入可能なケースを有し、
前記ユニットは、前記非密閉空間から空気を排気する第１の排気口を有し、
前記ケースは、前記第１の排気口から排気される空気を排気するための第２の排気口を有し、
前記第１の排気口と前記第２の排気口の開口部が、互いに重なり合わないことを特徴とする光源装置。
【手続補正２】
【補正対象書類名】明細書
【補正対象項目名】００２６
【補正方法】変更
【補正の内容】
【００２６】
また、請求項２の発明は、
請求項１の光源装置であって、
前記非密閉空間に空気を流入する吸気ファンを設けたことを特徴とする。
【手続補正３】
【補正対象書類名】明細書
【補正対象項目名】００２７
【補正方法】変更
【補正の内容】
【００２７】
また、請求項３の発明は、
請求項１の光源装置であって、
前記非密閉空間に空気を排気する排気ファンを設けたことを特徴とする。
【手続補正４】
【補正対象書類名】明細書
【補正対象項目名】００２８
【補正方法】変更
【補正の内容】
【００２８】
また、請求項４の発明は、
請求項１乃至３のいずれか１項に記載の光源装置であって、
前記ランプ近傍に設けられた温度検出手段と、
前記温度検出手段の出力に基づき、前記ファンを制御して、前記密閉もしくは略密閉空間、又は前記非密閉空間の空気圧を変更する制御手段とを備えたことを特徴とする光源装置。
【手続補正５】
【補正対象書類名】明細書
【補正対象項目名】００２９
【補正方法】変更
【補正の内容】
【００２９】
また、請求項５の発明は、
請求項１乃至３のいずれか１項に記載の光源装置であって、
前記密閉もしくは略密閉空間及び前記非密閉空間の各々に設けられた圧力センサと、
前記圧力センサの出力に基づき、前記ファンを制御して、前記密閉もしくは略密閉空間、又は前記非密閉空間の空気圧を変更する制御手段とを備えたことを特徴とする光源装置。
【手続補正６】
【補正対象書類名】明細書
【補正対象項目名】００３０
【補正方法】変更
【補正の内容】
【００３０】
また、請求項６の発明は、
請求項４又は請求項５に記載の光源装置であって、
前記制御手段は、前記ランプへの点灯指示又は消灯指示から所定時間の間、前記ファンを制御することを特徴とする光源装置。
【手続補正７】
【補正対象書類名】明細書
【補正対象項目名】００３１
【補正方法】変更
【補正の内容】
【００３１】
また、請求項７の発明は、
請求項１に記載の光源装置であって、
前記非密閉空間に排気口を設け、その排気口は、外部からの光が入射しない形状とすることを特徴とする光源装置。
【手続補正８】
【補正対象書類名】明細書
【補正対象項目名】００３２
【補正方法】変更
【補正の内容】
【００３２】
また、請求項８の発明は、
請求項１に記載の光源装置であって、
前記ユニットを挿入可能なケースを有し、
前記ユニットは、前記非密閉空間から空気を排気する第１の排気口を有し、
前記ケースは、前記第１の排気口から排気される空気を排気するための第２の排気口を有し、
前記第１の排気口と前記第２の排気口の開口部が、互いに重なり合わないことを特徴とする光源装置。
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００６７
【補正方法】変更
【補正の内容】
【００６７】
上記説明では、コントローラ１６が制御するのは、空気流入手段９としたが、これを室Ｄに配置される、排気ファン、もしくは吸気ファンとしてもかまわない。さらには、空気流入手段９と室Ｄに配置される排気ファンもしくは吸気ファンの両方としてもかまわない。
【手続補正２４】
【補正対象書類名】明細書
【補正対象項目名】００８０
【補正方法】変更
【補正の内容】
【００８０】
上記説明では、コントローラ１６が制御するのは、空気流入手段９としたが、これを室Ｃに配置される排気ファンもしくは吸気ファンとしてもかまわない。さらには、空気流入手段９と、室Ｃに配置される排気ファンもしくは吸気ファンの両方としてもかまわない。
【手続補正２５】
【補正対象書類名】明細書
【補正対象項目名】００８６
【補正方法】変更
【補正の内容】
【００８６】
ランプは、一般的に、電源を供給してから次第に温度が上昇し、所定時間経過後、所定の明るさとなる。したがって、ランプ点灯前に、前のランプ消灯から長時間経過している場合には、点灯指示から所定の明るさになるまでの時間を短縮させるように、ファンを制御することが望ましい。たとえば、低圧、高圧の両領域に圧力センサを備えている装置で、ランプ消灯後、短い時間内に再度点灯指示がなされた場合には、点灯指示から所定時間の間は、両圧力センサの出力値が等しくなるように吸気および／または排気ファンを制御すればよい。この場合、各領域の空気圧が等しくなるので、通風口５を空気が流れないため、所定の明るさになるまでの時間を短縮することができる。ランプ消灯後、長時間経過後に点灯指示がなされた場合は、両領域の空気圧は等しくなっていると考えられるので、上記のような制御は必要ない。
【手続補正２６】
【補正対象書類名】明細書
【補正対象項目名】００８９
【補正方法】変更
【補正の内容】
【００８９】
すなわち、空気流入手段により、高圧領域の空気圧を可能な限り高め、低圧領域の空気圧を、吸気および／または排気ファンにより可能な限り低めることで、通風口５を流れる空気流が最大となり、ランプが冷却される時間を短縮させることができる。